(57)【特許請求の範囲】
【請求項１】
光硬化型のインクを記録媒体に吐出する記録ヘッドと、
前記記録媒体上の前記インクに光を照射する一又は複数の光源を有する複数の光照射装置と、
前記各光照射装置の照射光の照度を前記光照射装置ごとに検知する照度検知機構と、
前記照度検知機構の検知結果に基づいて、前記各光照射装置の照射光の照度が第１の規定照度以上であるか否かを前記光照射装置ごとに判断する第１の判断手段と、
前記照度検知機構の検知結果に基づいて、前記各光照射装置の照射光の照度が第１の規定照度より低照度の第２の規定照度以上であるか否かを前記光照射装置ごとに判断する第２の判断手段と、
前記記録媒体と前記各光照射装置とで一方の他方に対する相対移動速度が所定でかつ前記各光照射装置に供給する供給用電力が所定の通常モードと、前記供給用電力が前記通常モードと同じでかつ前記相対移動速度が前記通常モードより遅い速度制御モードと、前記相対移動速度が前記通常モードと同じでかつ前記供給用電力が前記通常モードより大きい電力制御モードとのうち、いずれか一の記録モードを実行する制御手段と、
記録モードを選択させるための選択画面を表示可能な表示手段と、
を備え、
前記第１の判断手段が、前記各光照射装置の照射光の照度が第１の規定照度以上であると判断した場合、前記制御手段が前記通常モード、前記速度制御モード、前記電力制御モードのいずれか一の記録モードを実行し、
前記第１の判断手段が、複数の前記光照射装置中に照射光の照度が前記第１の規定照度未満の光照射装置があると判断し、かつ、前記第２の判断手段が、前記各光照射装置の照射光の照度が第２の規定照度以上であると判断した場合、前記制御手段が、前記速度制御モード、前記電力制御モードのいずれかを選択させるための選択画面を前記表示手段に表示させ、選択された記速度制御モード、前記電力制御モードのいずれかを実行し、
前記制御手段が前記電力制御モードを選択・実行した後で、前記第１の判断手段が、複数の前記光照射装置中に照射光の照度が前記第１の規定照度未満の光照射装置があると判断し、かつ、前記第２の判断手段が、前記各光照射装置の照射光の照度が第２の規定照度以上であると判断したとき、前記制御手段が前記速度制御モードを実行し、
前記第２の判断手段が、複数の前記光照射装置中に照射光の照度が前記第２の規定照度未満の光照射装置があると判断した場合、前記制御手段が前記通常モード、前記速度制御モード、前記電力制御モードのいずれの記録モードも実行できないことを特徴とするインクジェットプリンタ。
【請求項２】
請求項１に記載のインクジェットプリンタにおいて、
複数の前記光照射装置中に照射光の照度が前記第２の規定照度未満の光照射装置があると前記第２の判断手段が判断した場合に警告を発する警告手段を有することを特徴とするインクジェットプリンタ。
【請求項３】
請求項１又は２に記載のインクジェットプリンタにおいて、
複数の前記光照射装置中に照射光の照度が前記第２の規定照度未満の光照射装置があると前記第２の判断手段が判断した場合に前記制御手段が画像記録を禁止することを特徴とするインクジェットプリンタ。
【請求項４】
請求項１〜３のいずれか一項に記載のインクジェットプリンタにおいて、
前記各光照射装置が前記記録媒体の搬送方向と直交する方向に延在していることを特徴とするインクジェットプリンタ。
【請求項５】
請求項１〜４のいずれか一項に記載のインクジェットプリンタにおいて、
前記光源は、
冷陰極殺菌ランプ、熱陰極殺菌ランプ、低圧水銀ランプ、高圧水銀ランプ、無電極ランプ、エキシマランプ、メタルハライドランプ、キセノンランプ、ＬＥＤ及び放電管のいずれかであることを特徴とするインクジェットプリンタ。
【請求項６】
請求項１〜５のいずれか一項に記載のインクジェットプリンタにおいて、
前記インクは、
紫外線を照射することにより硬化する紫外線硬化型インクであることを特徴とするインクジェットプリンタ。
【請求項７】
請求項６に記載のインクジェットプリンタにおいて、
前記紫外線硬化型インクは、
一主成分としてカチオン重合性化合物を含むカチオン重合系のインクであることを特徴とするインクジェットプリンタ。
【発明の詳細な説明】
【技術分野】
【０００１】
本発明は、光硬化型のインクを記録媒体に吐出して当該記録媒体に画像を記録するインクジェットプリンタに関する。
【背景技術】
【０００２】
グラビア印刷方式より簡便・安価に画像を作成することができるという理由から、近年ではインクジェット記録方式が写真・各種印刷・マーキング・カラーフィルターといった特殊印刷等の様々な印刷分野に応用されてきている。特にインクジェット記録方式では、微細なドットを吐出・制御するインクジェット記録方式のインクジェットプリンタと、色再現域・耐久性・吐出適性等を改善したインクと、インク吸収性・色材発色性・表面光沢等を飛躍的に向上させた専用紙とを、組み合わせることで銀塩写真にも匹敵する画質を得ることができるようになっている。
【０００３】
上記インクジェットプリンタはインクの種類で分類することができる。すなわち従来のインクジェットプリンタには、室温で固形のワックスインクを用いる相変化インクジェット方式、速乾性の有機溶剤を主体としたインクを用いるソルベント系インクジェット方式、紫外線等の光の被照射により硬化する光硬化型インクを用いる光硬化型インクジェット方式等がある。中でも光硬化型インクジェット方式は他の記録方式に比べて比較的低臭気であり、専用紙以外にも速乾性・インク吸収性のない記録媒体にも記録できる点で注目されている。
【０００４】
このような光硬化型インクジェット方式のインクジェットプリンタでは、インクを微小な液滴として記録媒体に吐出する記録ヘッドの他にも光を放射する光源がキャリッジに搭載されており、記録媒体上で光源を点灯させたままキャリッジを移動させ、記録媒体に着弾した直後のインクに光を照射して当該インクを即座に硬化させている（例えば特許文献１参照）。
【特許文献１】特開昭６０−１３２７６７号公報
【発明の開示】
【発明が解決しようとする課題】
【０００５】
ところで、上記した光硬化型インクジェット方式のインクジェットプリンタにおいては、画像の記録動作中等に、インクミストや塵等の異物が光源に付着して当該光源から光が均一に放射されない場合がある。この場合、適切な照射エネルギーの光が照射されない部分が発生し、良好な画像の記録をおこなうことができない。特に、光源の一部に照度が著しく低下して規定照度に満たない照度低下部位が存在すると、記録媒体において照度低下部位に対応する部分に着弾したインクに、十分な照射エネルギーの光が照射されず、当該部分ではインクが良好に硬化しないおそれがある。
【０００６】
そこで、本発明の目的は、記録媒体の全ての位置に着弾したインクに対して、十分な照射エネルギーの光を照射して、良好な画像を得ることができるインクジェットプリンタを提供することである。
【課題を解決するための手段】
【００２７】
上記課題を解決するため本発明にかかるインクジェットプリンタは、
光硬化型のインクを記録媒体に吐出する記録ヘッドと、
前記記録媒体上の前記インクに光を照射する一又は複数の光源を有する複数の光照射装置と、
前記各光照射装置の照射光の照度を前記光照射装置ごとに検知する照度検知機構と、
前記照度検知機構の検知結果に基づいて、前記各光照射装置の照射光の照度が第１の規定照度以上であるか否かを前記光照射装置ごとに判断する第１の判断手段と、
前記照度検知機構の検知結果に基づいて、前記各光照射装置の照射光の照度が第１の規定照度より低照度の第２の規定照度以上であるか否かを前記光照射装置ごとに判断する第２の判断手段と、
前記記録媒体と前記各光照射装置とで一方の他方に対する相対移動速度が所定でかつ前記各光照射装置に供給する供給用電力が所定の通常モードと、前記供給用電力が前記通常モードと同じでかつ前記相対移動速度が前記通常モードより遅い速度制御モードと、前記相対移動速度が前記通常モードと同じでかつ前記供給用電力が前記通常モードより大きい電力制御モードとのうち、いずれか一の記録モードを実行する制御手段と、
記録モードを選択させるための選択画面を表示可能な表示手段と、
を備え、
前記第１の判断手段が、前記各光照射装置の照射光の照度が第１の規定照度以上であると判断した場合、前記制御手段が前記通常モード、前記速度制御モード、前記電力制御モードのいずれか一の記録モードを実行し、
前記第１の判断手段が、複数の前記光照射装置中に照射光の照度が前記第１の規定照度未満の光照射装置があると判断し、かつ、前記第２の判断手段が、前記各光照射装置の照射光の照度が第２の規定照度以上であると判断した場合、前記制御手段が、前記速度制御モード、前記電力制御モードのいずれかを選択させるための選択画面を前記表示手段に表示させ、選択された前記速度制御モード、前記電力制御モードのいずれかを実行し、
前記制御手段が前記電力制御モードを選択・実行した後で、前記第１の判断手段が、複数の前記光照射装置中に照射光の照度が前記第１の規定照度未満の光照射装置があると判断し、かつ、前記第２の判断手段が、前記各光照射装置の照射光の照度が第２の規定照度以上であると判断したとき、前記制御手段が前記速度制御モードを実行し、
前記第２の判断手段が、複数の前記光照射装置中に照射光の照度が前記第２の規定照度未満の光照射装置があると判断した場合、前記制御手段が前記通常モード、前記速度制御モード、前記電力制御モードのいずれの記録モードも実行できないことを特徴としている。
【発明の効果】
【００８１】
本発明にかかるインクジェットプリンタによれば、複数の光照射装置中に照射光の照度が第１の規定照度未満の光照射装置が存する場合に、速度制御モード、電力制御モードのいずれかが実行され、記録媒体上のインクに与える光の照射エネルギーが制御されるため、記録媒体の全ての位置に着弾したインクに対して、十分な照射エネルギーの光が照射され、良好な画像を得ることができる。
【発明を実施するための最良の形態】
【００８３】
以下、図面を参照しながら本発明を実施するための最良の形態について説明する。ただし、発明の範囲は図示例に限定されない。
【００８４】
［第１の実施形態］
始めに、図１〜図４を参照しながら本発明に係るインクジェットプリンタ１の構成を説明する。
【００８５】
図１はインクジェットプリンタ１の斜視図である。
図１に示す通り、インクジェットプリンタ１は記録媒体に対し画像の記録動作をおこなう部分として画像記録部２を有している。画像記録部２には記録媒体に画像を記録するための各種記録系部材が配設されている。画像記録部２は一部、左右側面が多角形状を有しかつ左右方向に延在する長尺な筐体３で覆われている。筐体３の前側には正面視して四角形状の開口部３ａが形成されており、画像記録部２での記録動作を開口部３ａから視認することができるようになっている。一方、筐体３の後側には記録媒体を筐体３の内部に送り込むためのスリット状の搬入口（図示略）が形成されている。
【００８６】
画像記録部２には、左右方向に延在する長尺状でかつ平板状のプラテン４が配設されている。プラテン４は、記録媒体を非記録面（記録面の反対側の面）からシート状に支持するものである。
【００８７】
図１では記録媒体を省略しているが、記録媒体は、筐体３の後側の搬入口から送り込まれ、筐体３の内部に配設された搬送機構２２（図４参照）によりプラテン４で非記録面を支持されながら筐体３の内部を後方から前方へ通過し、筐体３の外部に搬出されるようになっている。つまり、記録媒体は搬送機構２２により筐体３の内部を通過するように搬送方向Ａ（キャリッジ６の副走査方向、以下同じ。）に沿って搬送される。
【００８８】
プラテン４の上方には筐体３の内部で左右方向に延在する長尺なガイド部材５が配設されている。ガイド部材５にはキャリッジ６が支持されている。キャリッジ６はガイド部材５によりガイド・支持された状態で左右方向に延びる走査方向Ｂ（キャリッジ６の主走査方向、以下同じ。）に沿って走査自在（移動自在）とされている。キャリッジ６の走査方向Ｂは記録媒体の搬送方向Ａに対し直交している。
【００８９】
キャリッジ６には、イエロー（Ｙ），マゼンタ（Ｍ），シアン（Ｃ），ブラック（Ｋ）の各プロセスカラーのインクを記録媒体に対して吐出する４つの記録ヘッド７〜１０が一列に並んだ状態で搭載されている。各記録ヘッド７〜１０の下面には多数のノズル（図示略）がそれぞれ配列されており、各記録ヘッド７〜１０はノズルからインクを微小な液滴として吐出するようになっている。
【００９０】
ここで、本第１の実施形態に用いられる「インク」について説明する。
本第１の実施形態に用いられるインクは、光（紫外線）の被照射により硬化する性質を具備する光硬化型インク（紫外線硬化型インク）であって、オキセタン化合物，エポキシ化合物，ビニルエーテル化合物等の重合性化合物（公知の重合性化合物を含む。）、光開始剤及び色材を主成分とするインクである。
【００９１】
光硬化型インクは、重合性化合物として、ラジカル重合性化合物を含むラジカル重合系インクとカチオン重合性化合物を含むカチオン重合系インクとに大別されるが、その両系のインクが本第１の実施形態に用いられるインクとしてそれぞれ適用可能であり、ラジカル重合系インクとカチオン重合系インクとを複合させたハイブリッド型インクを本第１の実施形態に用いられるインクとして適用してもよい。
【００９２】
次に、本第１の実施形態に用いられる「記録媒体」について説明する。
本第１の実施形態に用いられる記録媒体としては、インクに対して非吸収性の記録媒体であってもよいし、インクに対して吸収性の記録媒体であってもよい。ここでいう「非吸収性」とは、インク組成物を吸収しないという意味であるけれども、本第１の実施形態においては、ブリストウ法におけるインクの転移量が０．１ｍｌ／ｍｍ2未満である場合に実質的に０ｍｌ／ｍｍ2であるような記録媒体を非吸収性の記録媒体といい、それ以外の記録媒体を吸収性の記録媒体という。
【００９３】
非吸収性の記録媒体としては、例えば、通常の非コート紙、コート紙等の他、軟包装に用いられる各種樹脂製フィルムを適用することができる。樹脂製フィルムの具体的な樹脂の種類として、ポリエチレンテレフタレート，ポリエステル，ポリオレフィン，ポリアミド，ポリエステルアミド，ポリエーテル，ポリイミド，ポリアミドイミド，ポリスチレン，ポリカーボネート，ポリ-ρ-フェニレンスルフィド，ポリエーテルエステル，ポリ塩化ビニル，ポリ（メタ）アクリル酸エステル，ポリエチレン，ポリプロピレン，ナイロン等が適用可能であり、さらにはこれら樹脂の共重合体、これら樹脂の混合物、これら樹脂を架橋したもの等も適用可能である。そしてこれら非吸収性の記録媒体としては、表面エネルギーが３５〜６０ｍＮ／ｍの範囲に収まるものが好ましく、表面エネルギーが４０〜６０ｍＮ／ｍの範囲に収まるものがさらに好ましい。また吸収性の記録媒体としては、例えば、普通紙（コピー用紙），上質紙等が挙げられる。
【００９４】
図１に示す通り、キャリッジ６には、記録媒体上に着弾したインクを硬化させるための光を照射する露光手段５０が配されている。露光手段５０は、光（紫外線）を下方に向けて照射する２つの光照射装置１１，１２を有している。光照射装置１１，１２は、４つの記録ヘッド７〜１０からなる記録ヘッド群の左右両側にそれぞれ配設されている。
【００９５】
図２は、光照射装置１１の構成を示す斜視図であって下方から光照射装置１１を見た図面である。
図２に示す通り、光照射装置１１の下部には光（紫外線）を放射する光源としての複数のＬＥＤ（Light Emitting Diode）１３，１３，…；１４，１４，…；１５，１５，…が配されている。光照射装置１１は、各ＬＥＤ１３，１４，１５が点灯することで光を下方に向けて照射できるようになっている。ＬＥＤ１３は、図２中点線「Ｙ１」で示す列Ｙ１に沿って等間隔で列状に配されている。同様に、ＬＥＤ１４は、図２中点線「Ｙ２」で示す列Ｙ２に沿って等間隔で列状に配されており、ＬＥＤ１５は、図２中点線「Ｙ３」で示す列Ｙ３に沿って等間隔で列状に配されている。図２に示す各列Ｙ１，Ｙ２，Ｙ３は、図１に示す記録媒体の搬送方向Ａに沿っている。そのため、列Ｙ１のＬＥＤ１３、列Ｙ２のＬＥＤ１４及び列Ｙ３のＬＥＤ１５は、列Ｙ１，Ｙ２，Ｙ３ごとに記録媒体の搬送方向Ａに沿って配置されている。
【００９６】
また、複数のＬＥＤ１３，１３，…；１４，１４，…；１５，１５，…は、図２中点線「Ｘ１〜Ｘ７」で示す行Ｘ１〜Ｘ７に沿って配されている。図２に示す各行Ｘ１〜Ｘ７はキャリッジ６の走査方向Ｂに沿っている。そのため、各行Ｘ１〜Ｘ７のＬＥＤ１３，１４，１５は行Ｘ１〜Ｘ７ごとにキャリッジ６の走査方向Ｂに沿っている。
【００９７】
なお、ここでは、２つの光照射装置１１，１２のうち一方の光照射装置１１についてのみ説明したが、他方の光照射装置１２も光照射装置１１と同様の構成を有している。
【００９８】
図１においてプラテン４の左側には、４つの記録ヘッド７〜１０に供給するためのインクを貯留する４つのインクタンク２３〜２６が配設されている。各インクタンク２３〜２６は、フレキシブルチューブ等の供給部材（図示略）を介してＹ，Ｍ，Ｃ，Ｋの色ごとにその色を吐出する記録ヘッド７〜１０にそれぞれ連結されており、各記録ヘッド７〜１０で吐出する色に応じたインクがその色を貯留するインクタンク２３〜２６から各記録ヘッド７〜１０にそれぞれ供給されるようになっている。
【００９９】
インクタンク２３〜２６の上方には、ユーザが選択可能な記録モードを表示するとともに、表示された記録モードをユーザが選択して入力する入力装置としての表示パネル２１が設けられている。
【０１００】
図１においてプラテン４の右側には、各光照射装置１１，１２の光（紫外線）の照度（照射強度）を検知する照度検知機構３０が配されている。
【０１０１】
図３は、照度検知機構３０を示す平面図である。
図３に示す通り、照度検知機構３０には光（紫外線）の照度（照射強度）を検知する複数のセンサ３１，３１，…；３２，３２，…；３３，３３，…が配されている。センサ３１は、図３中点線「Ｙ１’」で示す列Ｙ１’に沿って等間隔で列状に配されている。同様に、センサ３２は、図３中点線「Ｙ２’」で示す列Ｙ２’に沿って等間隔で列状に配されており、センサ３３は、図３中点線「Ｙ３’」で示す列Ｙ３’に沿って等間隔で列状に配されている。図３に示す各列Ｙ１’，Ｙ２’，Ｙ３’は、図１に示す記録媒体の搬送方向Ａに沿っている。そのため、列Ｙ１’のセンサ３１、列Ｙ２’のセンサ３２及び列Ｙ３’のセンサ３３は、列Ｙ１’，Ｙ２’，Ｙ３’ごとに記録媒体の搬送方向Ａに沿って配置されている。
【０１０２】
また、複数のセンサ３１，３１，…；３２，３２，…；３３，３３，…は、図３中点線「Ｘ１’〜Ｘ７’」で示す行Ｘ１’〜Ｘ７’に沿って配されている。図３に示す各行Ｘ１’〜Ｘ７’はキャリッジ６の走査方向Ｂに沿っている。そのため、各行Ｘ１’〜Ｘ７’のセンサ３１，３２，３３は行Ｘ１’〜Ｘ７’ごとにキャリッジ６の走査方向Ｂに沿っている。
【０１０３】
照度検知機構３０は、図１中プラテン４の右側の位置であって各光照射装置１１，１２の移動軌道上の下方に固定的に配置されている。各光照射装置１１，１２が照度検知機構３０の直上に位置したとき、列Ｙ１と列Ｙ１’とが相対し、列Ｙ２と列Ｙ２’とが相対し、列Ｙ３と列Ｙ３’とが相対するようになっており、同時に、行Ｘ１と行Ｘ１’とが相対し、行Ｘ２と行Ｘ２’とが相対し、行Ｘ３と行Ｘ３’とが相対し、行Ｘ４と行Ｘ４’とが相対し、行Ｘ５と行Ｘ５’とが相対し、行Ｘ６と行Ｘ６’とが相対し、行Ｘ７と行Ｘ７’とが相対するようになっている。
【０１０４】
このような構成から、本第１の実施形態では、列Ｙ１〜Ｙ３及び行Ｘ１〜Ｘ７で表現された各ＬＥＤ１３，１４，１５が、列Ｙ１’〜Ｙ３’及び行Ｘ１’〜Ｘ７’で表現された各センサ３１，３２，３３と１対１で対応するようになっており、ＬＥＤ１３，１４，１５から照射された光の照度が、その列Ｙ１〜Ｙ３及び行Ｘ１〜Ｘ７に対応する列Ｙ１’〜Ｙ３’及び行Ｘ１’〜Ｘ７’のセンサ３１，３２，３３で検知されるようになっている。
【０１０５】
図１に示す通り、インクジェットプリンタ１では画像記録部２の下部が逆Ｔ字状の２本の脚７０，７０により支持されている。各脚７０間には画像記録部２に配設された各種部材やインクタンク２３〜２６、照度検知機構３０等の自重を強固に支持するための２本の補強部材７１，７１が架け渡されており、各脚７０の下部にはキャスタ７２が２個ずつ配設されている。このような構成によりインクジェットプリンタ１は前後方向又は左右方向に移動自在となっている。
【０１０６】
図４はインクジェットプリンタ１の回路構成を示すブロック図である。
制御装置６０はインクジェットプリンタ１の動作を制御するものであり、インクジェットプリンタ１に内蔵されている。当該制御装置６０は汎用のＣＰＵ（Central Processing Unit），ＲＯＭ（Read Only Memory），ＲＡＭ（Random Access Memory）等から構成された制御部６１を有している。制御部６１は、ＣＰＵがＲＯＭに記録済みの処理プログラムをＲＡＭに展開して当該処理プログラムを実行するようになっている。
【０１０７】
制御部６１には搬送機構２２，キャリッジ６，記録ヘッド７〜１０，光照射装置１１，１２の各種部材等が接続されており、制御手段としての制御部６１は、搬送機構２２，キャリッジ６，記録ヘッド７〜１０，光照射装置１１，１２の各種部材の動作状況等に基づいて、各構成の動作を制御するようになっている。
【０１０８】
特に、制御部６１と光照射装置１１，１２との接続では、各ＬＥＤ１３，１４，１５が光照射装置１１，１２ごとに同一の駆動回路（ドライバ）を介して制御部６１に接続されており、制御部６１は、各ＬＥＤ１３，１４，１５に供給するための供給用電力を光照射装置１１，１２ごとにそれぞれ制御できるようになっている。すなわち、制御部６１は、光照射装置１１，１２ごとに各ＬＥＤ１３，１４，１５に同一の供給用電力を供給できるようになっている。
【０１０９】
ここで、制御部６１（ＲＯＭ又はＲＡＭ）には記録前条件とその記録前条件に対応する下記（１）〜（３）の記録モードとが列挙されたデータテーブル（図６参照）が格納されている。「記録前条件」とは、画像を記録する前に予め設定される条件であって、具体的にはインクの種類や記録媒体の種類、記録しようとする画像の解像度等をいう。本第１の実施形態では、制御部６１は、記録前条件が決定されたときにその記録前条件に応じた下記（１）〜（３）のいずれか一の記録モードを選択・実行できるようになっており、選択・実行した記録モードでキャリッジ６，記録ヘッド７〜１０，光照射装置１１，１２等の部材を制御して記録媒体に画像を記録させるようになっている。
【０１１０】
（１）「通常モード」…光照射装置１１，１２の各ＬＥＤ１３，１４，１５への供給用電力とキャリッジ６の走査速度（記録媒体に対する相対移動速度）とが記録前条件に応じた所定値に固定された記録モードであり、各ＬＥＤ１３，１４，１５が劣化していない場合や各ＬＥＤ１３，１４，１５にインクミスト等の汚れが付着していない場合において、記録媒体に着弾したインクに対し所期の光の照射エネルギーを与えてそのインクを良好に硬化可能とするためのものである。
【０１１１】
（２）「速度制御モード」…キャリッジ６の走査速度が通常モードのそれより遅い記録モードであり、記録媒体に着弾したインクを硬化させるのに必要な光の照射エネルギーが不足した場合に、キャリッジ６の走査速度を通常モードのそれより遅延させてそのインクが受ける光の被照射時間を通常より延長しようとするものである。
【０１１２】
（３）「電力制御モード」…各ＬＥＤ１３，１４，１５への供給用電力が通常モードのそれより大きい記録モードであり、記録媒体に着弾したインクを硬化させるのに必要な光の照射エネルギーが不足した場合に、各ＬＥＤ１３，１４，１５への供給用電力を通常より大きくしてそのインクが受ける光の被照度を通常より大きくしようとするものである。
【０１１３】
なお、インクの硬化の度合い（硬化性）は光の照射エネルギーに依存するものであり、当該光の照射エネルギーは、インクが受ける「光の被照射時間」と「光の被照度」との２つがエネルギー量を決定する決定因子となっている。そのため、速度制御モードで画像を記録する場合には、通常モードで画像を記録する場合に比較してインクが受ける光の被照射時間が長くなり、必然的にそのインクが受ける光の照射エネルギーが増大する。他方、電力制御モードで画像を記録する場合には、通常モードで画像を記録する場合に比較してインクが受ける光の被照度が大きくなり、必然的にそのインクが受ける光の照射エネルギーが増大する。インクが受ける「光の被照度」は、ある閾値以上の照度の光をインクに照射しなければ、当該インクが硬化しないか又は良好なドット径が得られない等といった画像の記録品質に関わる因子となっている。
【０１１４】
また、制御部６１には、照度検知機構３０の各センサ１３，１４，１５が個々に別々の駆動回路（ドライバ）を介して接続されており、制御部６１は、各センサ１３，１４，１５に各ＬＥＤ１３，１４，１５の照度を光照射装置１１，１２ごとに検知させ、その検知結果に基づいて各光照射装置１１，１２の光の２次元照度分布（図７参照）を生成するようになっている。
【０１１５】
更に、制御部６１には表示パネル２１が接続されており、制御部６１は、照度検知機構３０の各センサ１３，１４，１５の検知結果や記録モードを選択させるための画面（以下「選択画面」という。）を、表示手段としての表示パネル２１に表示させるようになっている。選択画面が表示パネル２１に表示された状態でユーザが選択画面を通じて記録モードを選択すると、表示パネル２１が入力装置となってユーザの選択した記録モードを入力情報として制御部６１に入力するようになっており、制御部６１は、ユーザの選択・入力操作を受けてその指示内容を認識し、認識した記録モードの選択・実行をおこなうようになっている。
なお、ここでは表示パネル２１上での選択・入力操作の例を示したが、インクジェットプリンタ１と接続したコンピュータシステムの表示パネル上でこれと同様の選択・入力操作がおこなわれてもよい。
【０１１６】
続いて、図５〜図８を参照しながらインクジェットプリンタ１の動作・作用を説明する。
【０１１７】
図５は、制御部６１（ＣＰＵ）がおこなう「記録モード表示処理」の各工程を経時的に示すフローチャートである。
画像の記録前の状態において、記録前条件が制御装置６０の制御部６１に入力されると、当該制御部６１は、その記録前条件を認識して格納済みのデータテーブルからその記録前条件に応じた記録モードを認識する（ステップＳ１）。
【０１１８】
図６はデータテーブルの一例を示す図面である。
図６はインクの種類，記録媒体の種類，記録しようとする画像の解像度の記録前条件に対応した記録モードを示すものである。図６では記録前条件としてインクの種類，記録媒体の種類，解像度のみを列挙したが、これら以外の条件（記録媒体のサイズ，温度，湿度等）も記録前条件として列挙されてもよい。
【０１１９】
例えば、制御部６１が図６のデータテーブルを予め格納しており、記録前条件として、インクの種類を「カチオン重合系」と、記録媒体の種類を「樹脂フィルム」と、解像度を「７２０（ｄｐｉ）」と認識したら、その記録前条件に対応した記録モードとして下記（４）〜（６）の記録モードを選択・実行可能な記録モードとして認識する。
（４）通常モード…キャリッジ６の走査速度が「５００（ｍｍ／ｓｅｃ）」で、各ＬＥＤ１３，１４，１５への供給用電力が「２５（Ｗ）」である記録モード
（５）速度制御モード…キャリッジ６の走査速度が「４００（ｍｍ／ｓｅｃ）」で、各ＬＥＤ１３，１４，１５への供給用電力が「２５（Ｗ）」である記録モード
（６）電力制御モード…キャリッジ６の走査速度が「５００（ｍｍ／ｓｅｃ）」で、各ＬＥＤ１３，１４，１５への供給用電力が「３０（Ｗ）」である記録モード
【０１２０】
ステップＳ１の処理を終えたら、一方の光照射装置１１の照度検知処理をおこなう（ステップＳ２）。具体的にステップＳ２の処理では、キャリッジ６を照度検知機構３０の近傍に移動させ、一方の光照射装置１１を照度検知機構３０の直上に位置させる。この状態において、通常モードにおける供給用電力でそれら各ＬＥＤ１３，１４，１５をすべて点灯させ、照度検知機構３０の各センサ３１，３２，３３で光の照度をＬＥＤ１３，１４，１５ごとに検知させる。
【０１２１】
例えば、制御部６１が図６のデータテーブルを予め格納しており、記録前条件として、インクの種類を「カチオン重合系」と、記録媒体の種類を「樹脂フィルム」と、解像度を「７２０（ｄｐｉ）」と認識したら、２５（Ｗ）の供給用電力で各ＬＥＤ１３，１４，１５を点灯させてそれら各ＬＥＤ１３，１４，１５の光の照度を検知させる。
【０１２２】
ステップＳ２の処理を終えたら、各センサ３１，３２，３３の検知結果に基づき、光照射装置１１の光の２次元照度分布を生成してその２次元照度分布から各列Ｙ１〜Ｙ３の照度プロファイルを生成する（ステップＳ３）。
【０１２３】
図７は２次元照度分布の一例を示す図面である。
図７に示す通り、当該２次元照度分布は、列Ｙ１〜Ｙ３と行Ｘ１〜Ｘ７とによって区画化された分布であって、各区画に対し各センサ３１，３２，３３の検知結果に基づく照度が当てられたものである。
【０１２４】
図７に示すような２次元照度分布を生成したら、その２次元照度分布から、各列Ｙ１〜Ｙ３の照度プロファイルを列Ｙ１〜Ｙ３ごとにそれぞれ生成する。
【０１２５】
図８は列Ｙ１〜Ｙ３の照度プロファイルの一例を示す図面であって、図８（ａ）は列Ｙ１の照度プロファイルを示し、図８（ｂ）は列Ｙ２の照度プロファイルを示し、図８（ｃ）は列Ｙ３の照度プロファイルを示す。
図８（ａ）〜図８（ｃ）に示す通り、各照度プロファイルでは、各センサ３１，３２，３３の検知位置に対する光の照度が示されている。詳しくは、図８（ａ）の照度プロファイルでは列Ｙ１’の各センサ３１の配置位置に対する光の照度が示され、図８（ｂ）の照度プロファイルでは列Ｙ２’の各センサ３２の配置位置に対する光の照度が示され、図８（ｃ）の照度プロファイルでは列Ｙ３’の各センサ３１の配置位置に対する光の照度が示されている。
【０１２６】
ステップＳ３の処理を終えたら、上記ステップＳ２の処理と同様に他方の光照射装置１２の照度検知処理をおこない（ステップＳ４）、上記ステップＳ３の処理と同様に光照射装置１２の光の２次元照度分布と各列Ｙ１〜Ｙ３の照度プロファイルとを生成する（ステップＳ５）。
【０１２７】
ステップＳ５の処理を終えたら、第１の判断手段としての制御部６１は、一方の光照射装置１１の照度プロファイルを参照してその光照射装置１１において当該照度プロファイル中の照度が全て第１の規定照度以上であるか否かを列Ｙ１〜Ｙ３ごとに判断し、これと同様に、他方の光照射装置１２においても照度プロファイル中の照度が全て第１の規定照度以上であるか否かを列Ｙ１〜Ｙ３ごとに判断する（ステップＳ６）。
【０１２８】
「第１の規定照度」とは、各ＬＥＤ１３，１４，１５が通常モードの供給用電力の供給を受けたときに照射する光の照度の７０％（好ましくは９０％）の照度である。当該第１の規定照度以上の照度の光をインクに照射すれば、この場合にインクが受ける光の被照度と、通常モードにおける走査速度でキャリッジ６を走査したときにインクが受ける被照射時間とを掛け合わせて、インクを良好に硬化させる照射エネルギーを得ることができる。当該第１の規定照度を規定する光照度の割合は予め設定されるものであって表示パネル２１のパネル操作等により適宜変更可能であり、その設定された光の照度の割合は制御部６１（ＲＯＭ又はＲＡＭ）に格納されている。
【０１２９】
ステップＳ６の処理において、照度プロファイル中の照度が第１の規定照度以上であると判断した場合には（ステップＳ６；ＹＥＳ）、２つの光照射装置１１，１２に「第１の照度低下」は無いと判断する。例えば、ステップＳ３，Ｓ５の処理で図８（ａ），（ｃ）のような照度プロファイルを生成したとしたら、照度プロファイル中の照度が第１の規定照度以上であると判断し、２つの光照射装置１１，１２に第１の照度低下は無いと判断する。
【０１３０】
第１の照度低下は無いと判断したら、通常モード，速度制御モード，電力制御モードのいずれか一の記録モードを選択させるための画面（以下「第１の選択画面」という。）を表示パネル２１に表示させ（ステップＳ７）、記録モード表示処理を終了する。
【０１３１】
他方、ステップＳ６の処理において、照度プロファイル中の照度が一部でも第１の規定照度未満であると判断した場合には（ステップＳ６；ＮＯ）、２つの光照射装置１１，１２のうち少なくとも一方に第１の照度低下があると判断する。例えば、ステップＳ３，Ｓ５の処理で図８（ｂ）のような照度プロファイル（同図中実線部）を生成したとしたら、照度プロファイル中の照度が第１の規定照度未満であると判断し、２つの光照射装置１１，１２のうち少なくとも一方に第１の照度低下があると判断する。
【０１３２】
第１の照度低下があると判断したら、第２の判断手段としての制御部６１は、上記ステップＳ６の処理と同様に、２つの光照射装置１１，１２で照度プロファイル中の照度が全て第２の規定照度以上であるか否かを判断する（ステップＳ８）。
【０１３３】
「第２の規定照度」とは、第１の規定照度より低い照度であって、インクを硬化させることができるか、又はインクを硬化させた上で良好なドット径を得る（良好な画像を得る）ことができる最低限必要な照度である。当該第２の規定照度は予め設定されるものであって表示パネル２１のパネル操作等により適宜変更可能であり、その設定された第２の規定照度は制御部６１（ＲＯＭ又はＲＡＭ）に格納されている。
【０１３４】
ステップＳ８の処理において、照度プロファイル中の照度が全て第２の規定照度以上であると判断した場合には（ステップＳ８；ＹＥＳ）、２つの光照射装置１１，１２に「第２の照度低下」は無いと判断する。例えば、ステップＳ３，Ｓ５の処理で図８（ａ）〜（ｃ）のような照度プロファイル（図８（ｂ）の照度プロファイルでは実線部）を生成したとしたら、照度プロファイル中の照度が第２の規定照度以上であると判断し、２つの光照射装置１１，１２に第２の照度低下は無いと判断する。
【０１３５】
第２の照度低下は無いと判断したら、速度制御モード，電力制御モードのいずれか一の記録モードを選択させるための画面（以下「第２の選択画面」という。）を表示パネル２１に表示させ（ステップＳ９）、記録モード表示処理を終了する。ステップＳ９の処理では、通常モードが表示事項として表示パネル２１に表示されず、この点でステップＳ７の処理と異なっている。
【０１３６】
他方、ステップＳ８の処理において、照度プロファイル中の照度が一部でも第２の規定照度未満であると判断した場合には（ステップＳ８；ＮＯ）、２つの光照射装置１１，１２のうち少なくとも一方に第２の照度低下があると判断する。例えば、ステップＳ３，Ｓ５の処理で図８（ｂ）のような照度プロファイル（同図中点線部）を生成したとしたら、照度プロファイル中の照度が第２の規定照度未満であると判断し、２つの光照射装置１１，１２のうち少なくとも一方に第２の照度低下があると判断する。
【０１３７】
第２の照度低下があると判断したら、通常モード，速度制御モード，電力制御モードのいずれの記録モードも選択不可である旨の画面（以下「選択不可画面」という。）を表示パネル２１に表示させる（ステップＳ１０）。
【０１３８】
ステップＳ１０の処理を終えたら、ステップＳ３，Ｓ５の処理で生成した全ての照度プロファイルに基づいて第２の照度低下の判断結果に起因する光照射装置１１，１２とその光照射装置１１，１２中のＬＥＤ１３，１４，１５とを、具体的に特定し、下記（１）〜（８）の事項の全部又は一部を文字、記号、画像等で表現した画面（以下「警告画面」という。）を表示パネル２１に表示させ（ステップＳ１１）、記録モード表示処理を終了する。すなわち、ステップＳ１１の処理では、表示パネル２１が表示という形態でユーザに対し各ＬＥＤ１３，１４，１５のいずれかで光の照度が著しく低下している旨の警告を警告手段となって発するようになっている。
【０１３９】
（１）生成した２次元照度分布そのもの（図７参照）
（２）生成した２次元照度分布を模式的に表現したもの
（３）各列Ｙ１〜Ｙ３の照度プロファイルそのもの（図８参照）
（４）光照射装置１１，１２の光の照射状態（「良好」，「不良」，「部分的に不良」というような文字やそれを示す記号等）
（５）光照射装置１１，１２で第１の照度低下及び／又は第２の照度低下が発生している旨
（６）光照射装置１１，１２中における第１の照度低下及び／又は第２の照度低下と判断した部位
（７）第１の照度低下及び／又は第２の照度低下と判断した光照射装置１１，１２
（８）第１の照度低下及び／又は第２の照度低下と特定したＬＥＤ１３，１４，１５
【０１４０】
ここでは、表示パネル２１への表示事項を例示したが、これら表示事項がインクジェットプリンタ１と接続したコンピュータシステムの表示パネル上で表示される構成としてもよい。
【０１４１】
以上の記録モード表示処理が終了した状態において、表示パネル２１に第１の選択画面が表示された場合には、ユーザが通常モード，速度制御モード，電力制御モードのいずれか一の記録モードを選択可能な状態となる。表示パネル２１に第２の画面が表示された場合には、ユーザが速度制御モード，電力制御モードのいずれか一の記録モードを選択可能な状態となる。表示パネル２１に選択不可画面が表示された場合には、ユーザが通常モード，速度制御モード，電力制御モードのいずれの記録モードも選択不可な状態となり、制御部６１が画像の記録を禁止した状態となる。
【０１４２】
そして、表示パネル２１に第１の選択画面又は第２の選択画面が表示された状態において、ユーザが表示パネル２１を通じて記録モードを選択すると、その入力情報が制御装置６０の制御部６１に入力され、当該制御部６１は、ユーザの選択・入力操作に応じた記録モードを選択・実行してその記録モードで画像の記録動作を開始させる。
【０１４３】
画像の記録動作が開始されると、搬送機構２２が作動し、筐体３の搬入口から筐体３の内部に送り込まれた記録媒体が、筐体３の内部でプラテン４により非記録面を支持されながら搬送方向Ａに沿って搬送される。これに伴いキャリッジ６が作動して記録媒体の直上を走査方向Ｂに沿って往復走査し、４つの記録ヘッド７〜１０と２つの光照射装置１１，１２とがキャリッジ６の往復走査に追従する。
【０１４４】
この状態において各記録ヘッド７〜１０が記録媒体の記録面に向かってインクを吐出するとともに、光照射装置１１，１２の各ＬＥＤ１３，１４，１５が点灯して各光照射装置１１，１２から記録媒体の記録面に光を照射する。この場合、キャリッジ６が図１中左方から右方に走査するときは、一方の光照射装置１１の各ＬＥＤ１３，１４，１５が点灯し、逆にキャリッジ６が図１中右方から左方に走査するときは、他方の光照射装置１２の各ＬＥＤ１３，１４，１５が点灯する。つまり、キャリッジ６が移動手段となって各光照射装置１１，１２を記録媒体に対し相対移動させ、キャリッジ６の走査中においては、当該キャリッジ６の走査方向Ｂの記録ヘッド７〜１０より後側の光照射装置１１，１２の各ＬＥＤ１３，１４，１５が点灯する。
【０１４５】
なお、光照射装置１１，１２と記録媒体とで一方を他方に対して相対移動させる手法は上記の例に限らず、搬送機構２２を移動手段として機能させることにより光照射装置１１，１２を固定した状態で記録媒体を搬送させるものとしてもよいし、キャリッジ６を移動手段として機能させることにより記録媒体を停止させた状態で光照射装置１１，１２を走査するものとしてもよいし、搬送機構２２及びキャリッジ６の両方を移動手段として機能させることにより記録媒体の搬送と光照射装置１１，１２の走査とを同時におこなってもよい。
【０１４６】
ここで、制御部６１が速度制御モードを選択・実行していれば、キャリッジ６が通常モード，電力制御モードの走査速度より遅い走査速度で往復走査し、インクが受ける光の被照射時間を通常より延長することができる。他方、制御部６１が電力制御モードを選択・実行していれば、光照射装置１１，１２の各ＬＥＤ１３，１４，１５が通常モード，速度制御モードの供給用電力より大きい供給用電力の供給を受け、インクが受ける光の被照度を通常より大きくすることができる。
【０１４７】
このような構成から、各記録ヘッド７〜１０から吐出されたインクは記録媒体の記録面に着弾し、その直後に光の照射を受けて即座に硬化し、各プロセスカラーの無数のドットからなる所望の画像が記録媒体の記録面に順次記録される。以降、所定数の画像が完成するごとに（又はキャリッジ６が所定回数の走査を終えるごとに）、インクジェットプリンタ１が上記記録モード表示処理と画像の記録動作とを繰り返す。
【０１４８】
以上の第１の実施形態では、制御部６１が生成した照度プロファイル中に第１の規定照度未満の照度が存在する場合に、表示パネル２１に第２の選択画面が表示され、ユーザの選択・入力操作で実質的に速度制御モード，電力制御モードのいずれか一の記録モードで画像の記録がおこなわれる。そのため、画像の記録中には、インクを良好に硬化させるのに必要な照射エネルギーの光が記録媒体上のインクに照射され、インクを良好に硬化させて良好な画像を得ることができる。
【０１４９】
なお、本発明は上記第１の実施形態に限定されることなく、下記の通り、本発明の主旨を逸脱しない範囲において種々の改良や設計の変更をおこなってもよい。
【０１５０】
１つの改良・設計変更事項として、ステップＳ２，Ｓ４の処理では、光照射装置１１，１２と照度検知機構３０とを静止させた状態で光の照度を検知するのではなく、光照射装置１１，１２と照度検知機構３０とで一方を他方に対して相対的に移動させながら光の照度を検知する構成としてもよい。
【０１５１】
他の改良・設計変更事項として、ステップＳ７の処理では、第１の選択画面を表示させずに、制御部６１が自動的に通常モードを選択・実行して画像の記録動作を開始するようにしてもよい。
【０１５２】
すなわち、通常モードを、制御装置６０（制御部６１）のデフォルトの記録モードとするか又は最も優先的に選択・実行される記録モードとし、通常モードでの画像の記録動作が可能な状況下（ステップＳ７の処理をおこなう場合）において、制御部６１が必ず通常モードを選択・実行して画像の記録動作を開始するようにしてもよい。
【０１５３】
このような状況下において通常モードでの画像の記録動作がおこなわれ、その次の記録モード表示処理でステップＳ９の処理がおこなわれた場合には、表示パネル２１に第２の選択画面が表示され、通常モードから速度制御モード又は電力制御モードへの記録モードの変更が可能な状況となる（当該ステップＳ９の処理では、通常モードから速度制御モード又は電力制御モードに強制的に記録モードを変更してもよい。）。この場合に、キャリッジ６が所定回数の走査を終えるごとに記録モード表示処理と画像の記録動作とをおこなうときには、通常モードでの画像記録中に光照射装置１１，１２の照度が第１の規定照度未満で第２の規定照度以上となっても、画像の記録動作途中のジョブを完了させることが可能となるため有益である。
【０１５４】
他の改良・設計変更事項として、ステップＳ９の処理では、第２の選択画面の表示をさせずに、制御部６１が自動的に速度制御モード，電力制御モードのいずれか一の記録モードを選択・実行して画像の記録動作を開始するようにしてもよい。
【０１５５】
他の改良・設計変更事項として、ステップＳ９の処理を受けて制御部６１が電力制御モードを選択・実行して画像の記録動作がおこなわれ、その直後の記録モード表示処理で再度ステップＳ９の処理がおこなわれた場合には、速度制御モードのみを選択させるための画面（以下「第３の選択画面」という。）を表示パネル２１に表示させ（第２の選択画面を表示パネル２１に表示させない）、ユーザに対し速度制御モードだけを選択・入力可能とするような構成としてもよい。この場合、第３の選択画面を表示させずに、制御部６１が自動的に速度制御モードを選択・実行して画像の記録動作を開始するようにしてもよい。
【０１５６】
他の改良・設計変更事項として、ステップＳ１０，Ｓ１１の処理では、選択不可画面の表示をさせずに警告画面のみを表示させ、制御部６１が自動的に搬送機構２２，キャリッジ６，記録ヘッド７〜１０，光照射装置１１，１２等の作動を停止する処理をおこない、画像の記録を禁止してもよい。
【０１５７】
他の改良・設計変更事項として、制御部６１が電力制御モードを選択・実行した場合には、第１の照度低下に起因するＬＥＤ１３，１４，１５を有する光照射装置１１，１２（のＬＥＤ１３，１４，１５）にのみ電力制御モードにおける供給用電力を供給するようにしてもよい。
【０１５８】
他の改良・設計変更事項として、光照射装置１１，１２の各ＬＥＤ１３，１４，１５を個々に別々の駆動回路を介して制御部６１に接続し、制御部６１が電力制御モードを選択・実行した場合には、第１の照度低下に起因するＬＥＤ１３，１４，１５にのみ電力制御モードにおける供給用電力を供給するようにしてもよい。
【０１５９】
他の改良・設計変更事項として、上記第１の実施形態では、各光照射装置１１，１２の照射光の照度を光照射装置１１，１２ごとに検知し、その検知結果に基づいて各光照射装置１１，１２の照射光の照度が第１の規定照度以上であるか否かを光照射装置１１，１２ごとに判断し、第１の規定照度未満の光照射装置１１，１２が存在する場合に、当該光照射装置１１，１２の照射光の照度に基づいてインクに与える光の照射エネルギーを制御する例を示し、その照射エネルギーの制御方法として、第１の規定照度未満の照度が第１の規定照度を上回るように、インクが受ける光の被照度を大きくする制御方法とインクが受ける光の被照射時間を延長する制御方法とを示したが、本発明はこれに限るものではない。すなわち、光照射装置１１，１２の光源（ＬＥＤ１３，１４，１５）に着目し、各光源の照射光の照度を光源ごとに検知し、その検知結果に基づいて各光源の照射光の照度が第１の規定照度以上であるか否かを光源ごとに判断し、第１の規定照度未満の光源が存在する場合に、当該光源の照射光の照度に基づいてインクに与える光の照射エネルギーを制御するようにしてもよい。なお、露光手段が単一の光照射装置で構成される場合で、当該光照射装置が複数の光源を有するときは光源ごとに照射光の照度を検知することにより、当該光照射装置が単一の光源のみを有するときは当該光源における部分的な照射光の照度を検知することによっても実施可能である。
【０１６０】
他の改良・設計変更事項として、上述のような照度検知結果に基づく記録モードの選択という工程は、所定数の画像が記録されるごとにおこなわれてもよいし、画像の記録動作の開始前におこなわれてもよいし、ユーザが表示パネル２１から入力することによりおこなわれてもよい。
【０１６１】
［第２の実施形態］
本第２の実施形態では、図２に示す２つの光照射装置１１，１２に代えて、図９に示す光照射装置１６がそれぞれ適用され、それ以外の構成（適用可能なインクや記録媒体、改良・設計変更事項を含む。）が上記第１の実施形態と同様となっている。
【０１６２】
下記では第１の実施形態と異なる点を中心に説明をおこなう。
図９は光照射装置１６の斜視図であって下方から光照射装置１６を見た図面である。
図９に示す通り、光照射装置１６の下部には光（紫外線）を放射する光源としての放電管１７が配されている。放電管１７は、複数の長尺部１７ａ〜１７ｆと複数の短尺部１７ｇ〜１７ｋとを有し、長尺部１７ａ〜１７ｆと短尺部１７ｇ〜１７ｋとが交互に連結して全体として葛折り状を呈している。放電管１７の各長尺部１７ａ〜１７ｆは互いに平行で記録媒体の搬送方向Ａに沿っており、各短尺部１７ｇ〜１７ｋは互いに平行でキャリッジ６の走査方向Ｂに沿っている。
【０１６３】
このような構成を備える光照射装置１６が照度検知機構３０の直上に位置した場合には、図９中点線「Ｙ１１」で示す列Ｙ１１が、照度検知機構３０の列Ｙ１１’と相対し、図９中点線「Ｙ１２」で示す列Ｙ１２が、照度検知機構３０の列Ｙ１２’と相対し、図９中点線「Ｙ１３」で示す列Ｙ１３が、照度検知機構３０の列Ｙ３’と相対するようになっており、図９中点線「Ｘ１１」で示す行Ｘ１１が照度検知機構３０の行Ｘ１１’と相対し、図９中点線「Ｘ１２」で示す行Ｘ１２が照度検知機構３０の行Ｘ２’と相対し、図９中点線「Ｘ１３」で示す行Ｘ１３が照度検知機構３０の行Ｘ３’と相対し、図９中点線「Ｘ１４」で示す行Ｘ１４が照度検知機構３０の行Ｘ４’と相対し、図９中点線「Ｘ１５」で示す行Ｘ１５が照度検知機構３０の行Ｘ５’と相対し、図９中点線「Ｘ１６」で示す行Ｘ１６が照度検知機構３０の行Ｘ６’と相対し、図９中点線「Ｘ１７」で示す行Ｘ１７が照度検知機構３０の行Ｘ７’と相対するようになっている。
【０１６４】
図４に示す回路構成では、各光照射装置１６の放電管１７が個々に別々の駆動回路（ドライバ）を介して制御部６１に接続されており、制御部６１は、供給用電力を光照射装置１６（放電管１７）ごとに制御できるようになっている。すなわち、制御部６１は、光照射装置１６（放電管１７）ごとに異なる供給用電力を供給できるようになっている。
【０１６５】
図５に示す記録モード表示処理では、ステップＳ１１の処理において、制御部６１が、第２の照度低下に起因する光照射装置１６とその光照射装置１６の放電管１７中の照度低下部位（図９中丸印参照）とを特定し、警告画面として下記（２１）〜（２７）の事項の全部又は一部を文字、記号、画像等で表示パネル２１に表示させる。
【０１６６】
（２１）生成した２次元照度分布そのもの（図７参照）
（２２）生成した２次元照度分布を模式的に表現したもの
（２３）各列Ｙ１１〜Ｙ１３の照度プロファイルそのもの（図８参照）
（２４）各光照射装置１６の光の照射状態（「良好」，「不良」，「部分的に不良」というような文字やそれを示す記号等）
（２５）光照射装置１６で第１の照度低下及び／又は第２の照度低下が発生している旨
（２６）光照射装置１６中における第１の照度低下及び／又は第２の照度低下と特定した部位
（２７）第１の照度低下及び／又は第２の照度低下と特定した光照射装置１６
【０１６７】
画像の記録動作では、制御部６１が電力制御モードを選択・実行していれば、電力制御モードにおける同一の供給用電力が各光照射装置１６の放電管１７に供給されるようになっている。
【０１６８】
以上の第２の実施形態では、第１の実施形態と同様に、制御部６１が生成した照度プロファイル中に第１の規定照度未満の照度が存在する場合に、表示パネル２１に第２の選択画面が表示され、ユーザの選択・入力操作で実質的に速度制御モード，電力制御モードのいずれか一の記録モードで画像の記録がおこなわれる。そのため、画像の記録中には、インクを良好に硬化させるのに必要な照射エネルギーの光が記録媒体上のインクに照射され、インクを良好に硬化させて良好な画像を得ることができる。
【０１６９】
なお、本発明は上記第２の実施形態に限定されることなく、下記の通り、本発明の主旨を逸脱しない範囲において種々の改良及び設計の変更をおこなってもよい。
【０１７０】
１つの改良・設計変更事項として、制御部６１が電力制御モードを選択・実行した場合には、第１の照度低下に起因する放電管１７を有する光照射装置１６（の放電管１７）にのみ電力制御モードにおける供給用電力を供給するようにしてもよい。
【０１７１】
他の改良・設計変更事項として、上記第２の実施形態では、照度検知機構３０のセンサ（センサ３１，３２，３３）の列数に応じて、Ｙ１１〜Ｙ１３の３列について放電管１７の光の照度を検知したが、照度検知機構３０のセンサの列数を、放電管１７の長尺部１７ａ〜１７ｆの部数と同一とし、各列のセンサで各長尺部１７ａ〜１７ｆの光の照度をそれぞれ検知してもよい。
【０１７２】
他の改良・設計変更事項として、各光照射装置１６には葛折り状を呈した１本の光源（放電管１７）を配したが、線状の光源を、単に１本配してもよいし、２列以上にわたり２本以上配してもよい。
【０１７３】
［第３の実施形態］
本第３の実施形態では、キャリッジ６が記録ヘッド７〜１０及び光照射装置１１，１２をガイド部材５に沿って走査した形態（シリアル方式）に代えて、図１０に示す記録部材８０を用いる形態（ライン方式）が適用され、それ以外の構成（適用可能なインクや記録媒体、改良・設計変更事項を含む。）が上記第１の実施形態と同様となっている。
【０１７４】
下記では第１の実施形態と異なる点を中心に説明をおこなう。
図１０（ａ）は記録部材８０の斜視図であって下方から記録部材８０を見た図面であり、図１０（ｂ）は記録部材８０の側面図である。
図１０（ａ），（ｂ）に示す通り、記録部材８０は、Ｙ，Ｍ，Ｃ，Ｋのインクを下方に向けて吐出する４つの記録ヘッド８１〜８４と、光（紫外線）を下方に向けて照射する光照射装置８５とを備え、これら記録ヘッド８１〜８４と光照射装置８５とが支持部材８６で支持・固定された構成を有している。記録部材８０はプラテン４の直上の位置に固定されている。
【０１７５】
各記録ヘッド８１〜８４は公知のラインヘッドであって、記録媒体の搬送方向Ａと直交する方向に延在しており、その延在方向に沿う長さがプラテン４の幅と略同じとなっている。
【０１７６】
光照射装置８５は記録媒体の搬送方向Ａの記録ヘッド８４より下流側に配置されており、光（紫外線）を放射する光源としての３本の放電管８７〜８９を有している。各放電管８７〜８９は記録媒体の搬送方向Ａと直交する方向に延在しており、その延在方向に沿う長さがプラテン４の幅と略同じとなっている。
【０１７７】
図１０（ａ）中点線「Ｘ２１」で示す行Ｘ２１は放電管８９の長さ方向に沿っており、図１０（ａ）中点線「Ｘ２２」で示す行Ｘ２２は放電管８８の長さ方向に沿っており、図１０（ａ）中点線「Ｘ２３」で示す行Ｘ２３は放電管８７の長さ方向に沿っている。図１０（ａ）中点線「Ｙ２１〜Ｙ２７」で示す列Ｙ２１〜Ｙ２７は記録媒体の搬送方向Ａに沿っており、各間隔が等間隔になっている。
【０１７８】
図１０（ｂ）に示す通り、プラテン４には光照射装置８５の光（紫外線）の照度を検知する照度検知機構９０が配されている。照度検知機構９０はプラテン４の一部を構成しており、光照射装置８５と対向する位置に配置されている。
【０１７９】
図１１は照度検知機構９０を示す平面図である。
照度検知機構９０には紫外線の照度を検知する複数のセンサ９１，９１，…；９２，９２…；９３，９３…が配されている。センサ９１は、図１１中点線「Ｘ２１’」で示す行Ｘ２１’に沿って等間隔で配されている。同様に、センサ９２は、図１１中点線「Ｘ２２’」で示す行Ｘ２２’に沿って等間隔で配されている。センサ９３は、図１１中点線「Ｘ２３’」で示す行Ｘ２３’に沿って等間隔で配されている。図１１に示す各行Ｘ２１’〜Ｘ２３’は、記録媒体の搬送方向Ａと直交する方向に沿っている。
【０１８０】
また照度検知機構９０の複数のセンサ９１，９１，…；９２，９２，…；９３，９３，…は、図１１中点線「Ｙ２１’〜Ｙ２７’」で示す列Ｙ２１’〜Ｙ２７’に沿って配されている。図１１に示す各列Ｙ２１’〜Ｙ２７’は記録媒体の搬送方向Ａに沿っており、各列Ｙ２１’〜Ｙ２７’のセンサ９１，９２，９３は列Ｙ２１’〜Ｙ２７’ごとに記録媒体の搬送方向Ａに沿っている。
【０１８１】
このような構成において、図１０（ａ）の行Ｘ２１が図１１の行Ｘ２１’と相対し、図１０（ａ）の行Ｘ２２が図１１の行Ｘ２２’と相対し、図１０（ａ）の行Ｘ２３が図１１の行Ｘ２３’と相対するようになっており、同時に、図１０（ａ）の列Ｙ２１が図１１の列Ｙ２１’と相対し、図１０（ａ）の列Ｙ２２が図１１の列Ｙ２２’と相対し、図１０（ａ）の列Ｙ２３が図１１の列Ｙ２３’と相対し、図１０（ａ）の列Ｙ２４が図１１の列Ｙ２４’と相対し、図１０（ａ）の列Ｙ２５が図１１の列Ｙ２５’と相対し、図１０（ａ）の列Ｙ２６が図１１の列Ｙ２６’と相対し、図１０（ａ）の列Ｙ２７が図１１の列Ｙ２７’と相対するようになっている。
【０１８２】
図４に示す回路構成では、記録ヘッド８１〜８４が制御部６１に接続され、制御部６１が記録ヘッド８１〜８４の動作を制御するようになっている。また光照射装置１８の各放電管８７〜８９が個々に別々の駆動回路（ドライバ）を介して制御部６１に接続されており、制御部６１は、供給用電力を放電管８７〜８９ごとに制御できるようになっている。すなわち、制御部６１は、放電管８７〜８９ごとに異なる供給用電力を供給できるようになっている。
【０１８３】
更に制御部６１には、照度検知機構９０の各センサ９１，９２，９３が個々に別々の駆動回路（ドライバ）を介して接続されており、制御部６１は、各センサ９１，９２，９３に各放電管８７〜８９の照度を検知させ、その検知結果に基づいて光照射装置８５の光の２次元照度分布を生成するようになっている。
【０１８４】
記録モードを決定する一条件としては、キャリッジ６の走査速度に代えて搬送機構２２の搬送速度（光照射装置８５に対する相対移動速度）が適用されるようになっている。この場合の「速度制御モード」は、記録媒体の搬送速度が通常モードのそれより遅い記録モードであり、記録媒体に着弾したインクを硬化させるのに必要な光の照射エネルギーが不足した場合に、記録媒体の搬送速度を通常モードのそれより遅延させてそのインクが受ける光の被照射時間を通常より延長しようとするものとなる。
【０１８５】
図５に示す記録モード表示処理では、ステップＳ２〜Ｓ４の処理において、通常モードにおける供給用電力で各放電管８７〜８９をすべて点灯させ、照度検知機構９０の各センサ９１，９２，９３で光照射装置８５の照度を検知させ、その検知結果に基づいて光照射装置８５の光の２次元照度分布と各行Ｘ２１〜Ｘ２３の照度プロファイルを生成する。
【０１８６】
ステップＳ６，Ｓ８の処理においては、照度プロファイル中の照度が第１の規定照度，第２の規定照度以上であるか否かを行Ｘ２１〜Ｘ２３ごとにそれぞれ判断し、光照射装置８５における第１の照度低下，第２の照度低下の有無をそれぞれ判断する。
【０１８７】
ステップＳ１１の処理においては、制御部６１が、第２の照度低下に起因する放電管８７〜８９とその照度低下部位とを特定し、警告画面として下記（３１）〜（３７）の事項の全部又は一部を文字、記号、画像等で表示パネル２１に表示させる。
【０１８８】
（３１）生成した２次元照度分布そのもの
（３２）生成した２次元照度分布を模式的に表現したもの
（３３）各行Ｘ２１〜Ｘ２３の照度プロファイルそのもの
（３４）光照射装置８５の光の照射状態（「良好」，「不良」，「部分的に不良」というような文字やそれを示す記号等）
（３５）光照射装置８５で第１の照度低下及び／又は第２の照度低下が発生している旨
（３６）光照射装置８５中における第１の照度低下及び／又は第２の照度低下と特定した部位
（３７）第１の照度低下及び／又は第２の照度低下と特定した放電管８７〜８９
【０１８９】
画像の記録動作では、搬送機構２２が移動手段となって記録媒体を光照射装置８５に対し相対移動させ、当該記録媒体が搬送方向Ａに沿って搬送される。この状態において、各記録ヘッド８１〜８４が記録媒体にインクを吐出するとともに、光照射装置８５の各放電管８７〜８９が点灯して記録媒体に着弾したインクに光を照射する。
【０１９０】
ここで、制御部６１が速度制御モードを選択・実行していれば、記録媒体が通常モード，電力制御モードの搬送速度より遅い搬送速度で搬送され、インクが受ける光の被照射時間を通常より延長することができる。他方、制御部６１が電力制御モードを選択・実行していれば、光照射装置８５の各放電管８７〜８９が通常モード，速度制御モードの供給用電力より大きい同一の供給用電力の供給を受け、インクが受ける光の被照度を通常より大きくすることができる。
【０１９１】
以上の第３の実施形態では、第１の実施形態と同様に、制御部６１が生成した照度プロファイル中に第１の規定照度未満の照度が存在する場合に、表示パネル２１に第２の選択画面が表示され、ユーザの選択・入力操作で実質的に速度制御モード，電力制御モードのいずれか一の記録モードで画像の記録がおこなわれる。そのため、画像の記録中には、インクを良好に硬化させるのに必要な照射エネルギーの光が記録媒体上のインクに照射され、インクを良好に硬化させて良好な画像を得ることができる。
【０１９２】
なお、本発明は上記第３の実施形態に限定されることなく、下記の通り、本発明の主旨を逸脱しない範囲において種々の改良及び設計の変更をおこなってもよい。
【０１９３】
１つの改良・設計変更事項として、制御部６１が電力制御モードを選択・実行した場合には、第１の照度低下に起因する放電管８７〜８９にのみ電力制御モードにおける供給用電力を供給するようにしてもよい。
【０１９４】
他の改良・設計変更事項として、図１２に示す通り、光照射装置８５と照度検知機構９０とを各記録ヘッド８１〜８４の下流側にそれぞれ配してもよい（各光照射装置８５では、３本の放電管８７〜８９のうちいずれか１本の放電管８７〜８９だけを配するようにしてもよい。）。
【０１９５】
この場合、図５に示す記録モード表示処理では、ステップＳ２〜Ｓ４の処理において、通常モードにおける供給用電力で各光照射装置８５の放電管８７〜８９をすべて点灯させ、各照度検知機構９０のセンサ９１，９２，９３で光照射装置８５ごとに照度を検知させ、その検知結果に基づいて光照射装置８５ごとに光の２次元照度分布と各行Ｘ２１〜Ｘ２３の照度プロファイルを生成する。
【０１９６】
ステップＳ６，Ｓ８の処理においては、照度プロファイル中の照度が第１の規定照度，第２の規定照度以上であるか否かを光照射装置８５ごとにそれぞれ判断し、第１の照度低下，第２の照度低下の有無を光照射装置８５ごとに判断する。
【０１９７】
ステップＳ１１の処理においては、制御部６１が、第２の照度低下に起因する光照射装置８５とその光照射装置８５中の放電管８７〜８９とを具体的に特定し、警告画面として下記（４１）〜（４８）の事項の全部又は一部を文字、記号、画像等で表示パネル２１に表示させる。
【０１９８】
（４１）生成した２次元照度分布そのもの
（４２）生成した２次元照度分布を模式的に表現したもの
（４３）各行Ｘ２１〜Ｘ２３の照度プロファイルそのもの
（４４）各光照射装置８５の光の照射状態（「良好」，「不良」，「部分的に不良」というような文字やそれを示す記号等）
（４５）光照射装置８５で第１の照度低下及び／又は第２の照度低下が発生している旨
（４６）光照射装置８５中における第１の照度低下及び／又は第２の照度低下と特定した部位
（４７）第１の照度低下及び／又は第２の照度低下と特定した光照射装置８５
（４８）第１の照度低下及び／又は第２の照度低下と特定した放電管８７〜８９
【０１９９】
画像の記録動作においては、制御部６１が電力制御モードを選択・実行していれば、電力制御モードにおける同一の供給用電力が各光照射装置８５の放電管８７〜８９に供給される。このとき、第１の照度低下に起因する光照射装置８５又は放電管８７〜８９にのみ電力制御モードにおける供給用電力を供給するようにしてもよい。
【０２００】
更に、上記以外にも、第１〜第３の実施形態に限定されることなく、下記の通り、本発明の主旨を逸脱しない範囲において種々の改良や設計の変更をおこなってもよい。
【０２０１】
１つの改良・設計変更事項として、２次元照度分布の生成処理において、光照射装置１１，１２，１６，８５の形態（光源の種類や数等）や照度検知機構３０，９０の形態（センサの種類や数等）に応じて又はそれらとは無関係に、列Ｙ１〜Ｙ３，Ｙ１’〜Ｙ３’，Ｙ１１〜Ｙ１３，Ｙ１１’〜Ｙ１３’，Ｙ２１〜Ｙ２７，Ｙ２１’〜Ｙ２７’の列数を任意に設定してもよいし、これと同様に、行Ｘ１〜Ｘ７，Ｘ１’〜Ｘ７’，Ｘ１１〜Ｘ１７，Ｘ１１’〜Ｘ１７’，Ｘ２１〜Ｘ２３，Ｘ２１’〜Ｘ２３’の行数も任意に設定してよい。
【０２０２】
他の改良・設計変更事項として、ＬＥＤ１３，１４，１５や放電管１７，８７〜８９に代えて又は加えて、冷陰極殺菌ランプ，熱陰極殺菌ランプ，低圧水銀ランプ，高圧水銀ランプ，無電極ランプ，エキシマランプ，メタルハライドランプ，キセノンランプ等を適用してもよい。
【図面の簡単な説明】
【０２０３】
【図１】インクジェットプリンタの斜視図である。
【図２】光照射装置の斜視図である。
【図３】照度検知機構の平面図である。
【図４】インクジェットプリンタの回路構成を示すブロック図である。
【図５】記録モード表示処理の各工程を経時的に示すフローチャートである。
【図６】データテーブルの一例を示す図面である。
【図７】２次元照度分布の一例を示す図面である。
【図８】（ａ）列Ｙ１の照度プロファイル、（ｂ）列Ｙ２の照度プロファイル及び（ｃ）列Ｙ３の照度プロファイルの一例を示す図面である。
【図９】第２の実施形態に係る光照射装置を示す斜視図である。
【図１０】第３の実施形態に係る記録部材を示す（ａ）斜視図、（ｂ）側面図である。
【図１１】第３の実施形態に係る照度検知機構を示す平面図である。
【図１２】図１０の記録部材の変形例を示す側面図である。
【符号の説明】
【０２０４】
１  インクジェットプリンタ
７〜１０，８１〜８４  記録ヘッド
１１，１２，１６，８５  光照射装置
１３，１４，１５  ＬＥＤ（光源）
１７，８７〜８９  放電管（光源）
２１  表示パネル（表示手段，警告手段）
３０，９０  照度検知機構
３１，３２，３３  センサ
６０  制御装置
６１  制御部（制御手段，第１の判断手段，第２の判断手段）
【図１】
0004649935.tif 000002
【図２】
0004649935.tif 000003
【図３】
0004649935.tif 000004
【図４】
0004649935.tif 000005
【図５】
0004649935.tif 000006
【図６】
0004649935.tif 000007
【図７】
0004649935.tif 000008
【図８】
0004649935.tif 000009
【図９】
0004649935.tif 000010
【図１０】
0004649935.tif 000011
【図１１】
0004649935.tif 000012
【図１２】
0004649935.tif 000013